(57)【要約】      （修正有）【課題】全自動式にトイレットペーパーの先端部を三角形状に折りたたみ、数センチ出すことで、次の使用者が使いやすさと清潔感を感じることができ、かつトイレットペーパーの取付けが容易なトイレットペーパーホルダーを提供する。【解決手段】左右両側板１Ａ、１Ｂに三角形状板２がスライドするための軌道部３Ａを形設し、かつ軌道部３Ａの中をスライドする三角形状板２と、トイレットペーパーを三角に折りたたむ作用を持つ旋回アーム８Ａ、８Ｂと、三角形状板２をスライドさせるためのばね式掛け金１０Ａ，１０Ｂを有し、旋回アーム８Ａ，８Ｂと三角形状板２を段階的に駆動させるためのコの字形状板９と、コの字形状板９に駆動作用を与える駆動装置と、トイレットペーパーを押える部材１９Ａと、後方に引戻すためのばね７Ａ，７Ｂと、切断後に上蓋を上方に戻すためのばね１７Ａ，１７Ｂと、トイレットペーパーの姿勢を一定に保つ姿勢制御部材２２を設けた。【選択図】図１
2013240563.tif 000002
【特許請求の範囲】
【請求項１】
トイレットペーペーホルダーの左右両側板に三角形状板がスライドするための軌道部を形設し、かつ、前記軌道部をスライドする三角形状板と、トイレットペーパーを三角に折りたたむ作用を持つ旋回アームと、三角形状板をスライドさせるためのばね式掛け金を有し旋回アームと三角形状板を段階的に駆動させるためのコの字形状板と、コの字形状板に駆動作用を与える駆動装置と、トイレットペーパーを切断後旋回アームがトイレットペーパーの上方を確実に旋回するためにトイレットペーパーを押える部材と、三角形状板が前方にスライドした後自動的に後方に引戻すためのばねと、トイレットペーパーを切断時に下方に押えた上蓋から手を離すと上蓋を自動的に上方に戻すためのばねと、トイレットペーパーの姿勢を一定に保つためのトイレットペーパー姿勢制御部材からなり、前述のすべての構成部が関連を持って連続作用することによって、使用者がトイレットペーパーを切断後、トイレットペーパーホルダーから手を離すと、手を使うことなく、かつボタンを押すといった追加動作やレバーを引くといった追加動作をすることなく、全自動式でトイレットペーパーの先端を三角形状に折りたたみ、上蓋先端部より三角形状に折りたたまれたトイレットペーパーを数センチ出すトイレットペーパーホルダー。
【請求項２】
請求項１において、コの字形状板に駆動作用を与える駆動装置として、コの字形状板に前後線状ギヤを形設し、かつ、コの字形状板に形設された前後線状ギヤに前後駆動作用を与える歯車と、前記歯車に回転作用を与える上下線状ギヤとを設け、トイレットペーパーを三角形状板の上方に取付けることを特徴とする、トイレットペーパーホルダー。
【請求項３】
請求項１において、コの字形状板に駆動作用を与える駆動装置として、コの字形状板に前後線状ギヤを形設し、かつ、コの字形状板に形設された前後線状ギヤに前後駆動作用を与える駆動ギヤと、前記駆動ギヤを回転させるためのモーターを設け、トイレットペーパーを三角形状板の上方に取付けることを特徴とする、トイレットペーパーホルダー。
【請求項４】
請求項１において、コの字形状板に駆動作用を与える駆動装置として、コの字形状板に前後送りねじを形設し、かつ、コの字形状板に形設された送りねじを回転させるためのモーターを設け、トイレットペーパーを三角形状板の上方に取付けることを特徴とする、トイレットペーパーホルダー。
【発明の詳細な説明】
【技術分野】
【０００１】  本発明はトイレットペーパー使用者がトイレットペーパーを切断後、トイレットペーパーホルダーから手を離すと、手を使うことなく、かつボタンを押すといった追加動作やレバーを引くといった追加動作をすることなく、全自動式にトイレットペーパーの先端部を三角形状に折りたたみ、上蓋先端部より三角形状に折りたたまれたトイレットペーパーを数センチ出すことで、次の使用者が使いやすさと清潔感を感じることができ、かつ、トイレットペーパーの取付けが容易な、全自動式三角折りたたみトイレットペーパーホルダーに関するものである。
【背景技術】
【０００２】  従来のトイレットペーパーホルダーでは、使用者が切断後、そのままトイレを去れば、次の使用者はトイレットペーパーの先端が取出し難かった。また、使用者が次の使用者のためにトイレットペーパーの先端部を三角に折りたたんでおけば、次の使用者は、トイレットペーパーの先端部を容易に取出せたが、前使用者が手を洗わずにトイレットペーパーの先端部を三角に折りたたんでいるので、不潔感を生じさせることがあった。【０００３】また、図１９（特開２００８−２２０８９０）に示すように、押え蓋と三角板及びＬ型アームの構成によって、トイレットペーパーの先端部を三角形状に折りたたむことが出来るトイレットペーパーホルダーも公開されているが、それらの作用を駆動させる方法はなんら示されておらず、現実性がなかった。【０００４】  また、図２０（国際公開番号ＷＯ２００４／０８６９２６）に示すように、レバーを引くことによってトイレットペーパーの先端部を三角形状に折りたたむことが出来るトイレットペーパーホルダーも市販されていたが、トイレットペーパーの取り付けが非常に難しいばかりか、使用者はトイレットペーパー切断後、これまでの習慣に対し追加動作をしなければならず、使用者がそのレバーを操作しなければ三角形状は折りたたまれない。また、レバーを操作する速さによってはトイレットペーパーと三角板がすべり、三角形状に正しく折りたたまれなかった。
【先行技術文献】
【特許文献】
【０００５】
【特許文献１】特開２００８−２２０８９０号公報
【特許文献２】国際公開番号ＷＯ２００４／０８６９２６
【発明の概要】
【発明が解決しようとする課題】
【０００６】  本発明は上記実情を鑑みてなされたものであって、トイレットペーパー使用者がトイレットペーパーを切断後、トイレットペーパーホルダーから手を離すと、手を使うことなく、かつボタンを押すといった追加動作やレバーを操作するといった追加動作をすることなく、全自動式にトイレットペーパーの先端部を三角形状に折りたたみ、上蓋先端部より三角形状に折りたたまれたトイレットペーパーを数センチ出すことで、次の使用者が使いやすさと清潔感を感じることができ、かつ、トイレットペーパーの取付けが容易な、全自動式三角折りたたみトイレットペーパーホルダーを提供することを課題とするものである。
【課題を解決するための手段】
【０００７】  本発明の内、請求項１及び請求項２を、図面について説明すれば、図１及び図３に示す如く、トイレットペーパーホルダーの両側板（１Ａと１Ｂ）に三角形状板（２）がスライドするための軌道部（３Ａと３Ｂ）を有するガイド板（４Ａと４Ｂ）を形設する。【０００８】  両側板（１Ａと１Ｂ）を連結する後方板（５）と、トイレットペーパーを切断する時に押える上蓋先端部の受け台であり、かつ、両側板（１Ａと１Ｂ）を連結する連結棒（６）により、両側板（１Ａと１Ｂ）を平行に連結する。【０００９】  三角形状板（２）の一方の辺を左軌道部（３Ａ）に挿入し、前記の辺と平行する他方の辺を右軌道部（３Ｂ）に挿入する。【００１０】  後方板（５）の所定位置に、引っ張りばね（７Ａと７Ｂ）の一方を連結し、他方はそれぞれ三角形状板（２）の後側と連結する。【００１１】  ガイド板（４Ａ）にある、旋回アーム（８Ａ）の軸用穴に旋回アーム（８Ａ）の旋回軸を挿入し、ガイド板（４Ａ）と旋回アーム（８Ａ）を軸着する。【００１２】  ガイド板（４Ｂ）にある、旋回アーム（８Ｂ）の軸用穴に旋回アーム（８Ｂ）の旋回軸を挿入し、ガイド板（４Ｂ）と旋回アーム（８Ｂ）を軸着する。【００１３】  両側ガイド板（４Ａと４Ｂ）の下方に、コの字形状板（９）に駆動作用を与える前後線状ギヤ（１３Ａと１３Ｂ）を有するコの字形状板（９）を装着する。【００１４】  コの字形状板（９）に三角形状板（２）を前方に押出すためのばね式掛け金（１０Ａと１０Ｂ）を装着する。【００１５】  旋回アーム（８Ａと８Ｂ）にそれぞれ引っ張りばね（１１）を装着する。【００１６】  両側板（１Ａと１Ｂ）に、大小ふたつの歯車が同一軸上で一体化した２連歯車（１２Ａと１２Ｂ）を装着する。このとき、２連歯車（１２Ａと１２Ｂ）の大歯車がコの字形状板（９）に形設された前後線状ギヤ（１３Ａと１３Ｂ）に噛み合うようにする。【００１７】  両側板（１Ａと１Ｂ）に、それぞれ、２連歯車（１２Ａと１２Ｂ）と噛み合う上下線形状ギヤ（１６Ａと１６Ｂ）を装着し、前記上下線形状ギヤ（１６Ａと１６Ｂ）を常に上方へ押上げる作用がある圧縮ばね（１７Ａと１７Ｂ）を装着する。【００１８】  両側板（１Ａと１Ｂ）にある上蓋用支点部（１４Ａと１４Ｂ）に上蓋Ａ（１５Ａ）を嵌着する。【００１９】  両側板（１Ａと１Ｂ）にある上蓋用支点部（１４Ａと１４Ｂ）に、トイレットペーパーを下方に押下げるトイレットペーパー押さえ部（１９Ａと１９Ｂ）と、トイレットペーパー姿勢制御棒（２２）と、上下線状ギヤ（１６Ａと１６Ｂ）を下方に押さえ込むための上下線状ギヤ押込み棒（１８Ａと１８Ｂ）とを有する上蓋Ｂ（１５Ｂ）を嵌着する。【００２０】  両側ガイド板（４Ａと４Ｂ）の下方に、掛け金（１０Ａと１０Ｂ）用の固定ストッパー（２０Ａと２０Ｂ）を装着する。
以上の構成よりなるトイレットペーパーホルダー。【００２１】  次に、請求項１において、コの字形状板に駆動作用を与える駆動装置として、コの字形状板に形設された前後線状ギヤに前後駆動作用を与える駆動ギヤと、前記駆動ギヤを回転させるためのモーターを設けるとした請求項３を、図面について説明すれば、図１７に示す如く、駆動用モーター（２７Ａと２７Ｂ）の出力軸に駆動ギヤ（２８Ａと２８Ｂ）を装着し、前記駆動ギヤ（２８Ａと２８Ｂ）が、コの字形状板（９）に形設された前後線状ギヤ（１３Ａと１３Ｂ）に噛み合うように設置する。
以上の構成よりなるトイレットペーパーホルダー。【００２２】  次に、請求項１において、コの字形状板に駆動作用を与える駆動装置として、コの字形状板に前後送りねじを形設し、かつ、前記送りねじを回転させるためのモーターを設けるとした請求項４を、図面について説明すれば、図１８の如く、コの字形状板（９）に送りねじ（３０Ａと３０Ｂ）を形設する。【００２３】  送りねじ（３０Ａと３０Ｂ）と同軸上または平行軸上に送りねじ用モーター（２９Ａと２９Ｂ）を設置し、送りねじ（３０Ａと３０Ｂ）と送りねじ用モーター（２９Ａと２９Ｂ）の出力軸を連結する。
以上の構成よりなるトイレットペーパーホルダー。
【発明の効果】
【００２２】  トイレットペーパーの取付けが容易で、使用者がトイレットペーパーを切断後、トイレットペーパーホルダーから手を離すと、手を使うことなく、かつボタンを押すといった追加動作やレバーを操作するといった追加動作をすることなく、全自動式にトイレットペーパーの先端部を三角形状に折りたたみ、上蓋先端部より三角形状に折りたたまれたトイレットペーパーを数センチ出すので、その作用は確実かつ衛生的であり、次の使用者は容易にトイレットペーパーを取り出すことが出来る。
【図面の簡単な説明】
【００２２】
【図１】本発明の実施状態を示すトイレットペーパーホルダーの内部構造すべてを反映した斜視図。
【図２】本発明の実施状態を示すトイレットペーパーホルダーの内部構造の内、可視構成部の斜視図。
【図３】本発明の実施状態を示すトイレットペーパーホルダーの内部構造の内、三角形状板がスライドするための機構のみを特記した斜視図。
【図４】本発明の実施状態を示すトイレットペーパーホルダーの、上蓋Ａと上蓋Ｂの組み付け状態を示す斜視図。
【図５】本発明の実施状態を示すトイレットペーパーホルダーにカバーを取り付けた状態の外観斜視図。
【図６】本発明の実施状態を示すトイレットペーパーホルダーに、トイレットペーパーを取り付けるときの、上蓋を開けた状態を示す縦断面図。
【図７】本発明の実施状態を示すトイレットペーパーホルダーに、トイレットペーパーを取り付けた後、上蓋を閉じ、トイレットペーパー取り付け完了状態を示す縦断面図。
【図８】本発明の実施状態を示すトイレットペーパーホルダーの内部構造の内、上蓋Ｂが上がっている状態の、前後線状ギヤと、コの字形状板と、大小２連歯車と、上下線状ギヤの構成を示した縦断面図。
【図９】本発明の実施状態を示すトイレットペーパーホルダーの内部構造の内、上蓋Ｂを押下げた状態の、前後線状ギヤと、コの字形状板と、大小２連歯車と、上下線状ギヤの構成を示した縦断面図。
【図１０】コの字形状板に装着された掛け金が三角形状板を押出すときの状態を示す縦断面図。
【図１１】コの字形状板に装着された掛け金におけるストッパー部分が固定ストッパーに当たり、掛け金が下がった状態を示す縦断面図。
【図１２】本発明の請求項２における実施状態を示すトイレットペーパーホルダーの内部構造の内、三角形状板と、三角形状板が前側にスライドした後自動的に後方に引戻すための引っ張りばねと、旋回アームと、掛け金を有するコの字形状板と、前後線状ギヤと、歯車とを表し、前記コの字形状板が最も後方に戻った状態の斜視図。
【図１３】本発明の請求項２における実施状態を示すトイレットペーパーホルダーの内部構造の内、三角形状板と、三角形状板が前側にスライドした後自動的に後方に引戻すための引っ張りばねと、旋回アームと、掛け金を有するコの字形状板と、前後線上ギヤと、歯車とを表し、前記コの字形状板の先端部が旋回アームの作用点に当たった瞬間を示す斜視図。
【図１４】本発明の請求項２における実施状態を示すトイレットペーパーホルダーの内部構造の内、三角形状板と、三角形状板が前側にスライドした後自動的に後方に引戻すための引っ張りばねと、旋回アームと、掛け金を有するコの字形状板と、前後線状ギヤと、歯車とを表し、旋回アームが旋回した直後を示す斜視図。
【図１５】本発明の請求項２における実施状態を示すトイレットペーパーホルダーの内部構造の内、三角形状板と、三角形状板が前側にスライドした後自動的に後方に引戻すための引っ張りばねと、旋回アームと、掛け金を有するコの字形状板と、前後線状ギヤと、歯車とを表し、コの字形状板が最も前側に出、同時に三角形状板も最も前側に出た状態を示す斜視図。
【図１６】本発明の請求項２における実施状態を示すトイレットペーパーホルダーの内部構造の内、三角形状板と、三角形状板が前側にスライドした後自動的に後方に引戻すための引っ張りばねと、旋回アームと、掛け金を有するコの字形状板と、前後線状ギヤと、歯車とを表し、コの字形状板に装着された掛け金が三角形状板から外れ、三角形状板が最も後方に戻った状態を示す斜視図。
【図１７】本発明の請求項３における実施状態を示すトイレットペーパーホルダーの内部構造の内、三角形状板と、三角形状板が前側にスライドした後自動的に後方に引戻すための引っ張りばねと、旋回アームと、掛け金を有するコの字形状板と、前後線状ギヤと、駆動ギヤと、駆動ギヤ用モーターを表し、前記コの字形状板が最も後方に戻った状態の斜視図。
【図１８】本発明の請求項４における実施状態を示すトイレットペーパーホルダーの内部構造の内、三角形状板と、三角形状板が前側にスライドした後自動的に後方に引戻すための引っ張りばねと、旋回アームと、掛け金を有するコの字形状板と、送りねじと、送りねじ用モーター表し、前記コの字形状板が最も後方に戻った状態の斜視図。
【図１９】従来のトイレットペーパーホルダー（特開２００８−２２０８９０）を示す斜視図。
【図２０】従来のトイレットペーパーホルダー（国際公開番号ＷＯ２００４／０８６９２６）を示す斜視図。
【発明を実施するための形態】
【００２３】  以下、本発明の内、請求項１及び請求項２を、図面について説明すると、図１及び図３に示す如く、トイレットペーパーホルダーの両側板（１Ａと１Ｂ）に三角形状板（２）がスライドするための軌道部（３Ａ及び３Ｂ）を有するガイド板（４Ａと４Ｂ）を形設する。
【００２４】  両側板（１Ａと１Ｂ）を連結する後方板（５）と、トイレットペーパーを切断する時に押さえる上蓋先端部の受け台であり、かつ、両側板（１Ａと１Ｂ）を連結する連結棒（６）により、両側板（１Ａと１Ｂ）を平行に連結する。
【００２５】  三角形状板（２）の一方の辺を左軌道部（３Ａ）に挿入し、前記の辺と平行する他方の辺を右軌道部（３Ｂ）に挿入する。
【００２６】  後方板（５）の所定位置に、引っ張りばね（７Ａと７Ｂ）の一方を連結し、他方はそれぞれ三角形状板（２）の後側と連結する。
【００２７】  ガイド板（４Ａ）にある、旋回アーム（８Ａ）の軸用穴に旋回アーム（８Ａ）の旋回軸を挿入し、ガイド板（４Ａ）と旋回アーム（８Ａ）を軸着する。
【００２８】  ガイド板（４Ｂ）にある、旋回アーム（８Ｂ）の軸用穴に旋回アーム（８Ｂ）の旋回軸を挿入し、ガイド板（４Ｂ）と旋回アーム（８Ｂ）を軸着する。
【００２９】  両側ガイド板（４Ａと４Ｂ）の下方に、コの字形状板（９）に駆動作用を与える前後線状ギヤ（１３Ａと１３Ｂ）を有するコの字形状板（９）を装着する。
【００３０】  コの字形状板（９）に三角形状板（２）を前方に押出すためのばね式掛け金（１０Ａと１０Ｂ）を装着する。
【００３１】  旋回アーム（８Ａと８Ｂ）にそれぞれ引っ張りばね（１１）を装着する。
【００３２】  両側板（１Ａと１Ｂ）に、大小ふたつの歯車が同一軸上で一体化した２連歯車（１２Ａと１２Ｂ）を装着する。このとき、２連歯車（１２Ａと１２Ｂ）の大歯車がコの字形状板（９）に形設された前後線状ギヤ（１３Ａと１３Ｂ）に噛み合うようにする。
【００３３】  両側板（１Ａと１Ｂ）に、それぞれ、２連歯車（１２Ａと１２Ｂ）と噛み合う上下線形状ギヤ（１６Ａと１６Ｂ）を装着し、前記上下線形状ギヤ（１６Ａと１６Ｂ）を常に上方へ押上げる作用がある圧縮ばね（１７Ａと１７Ｂ）を装着する。
【００３４】  両側板（１Ａと１Ｂ）にある上蓋用支点部（１４Ａと１４Ｂ）に上蓋Ａ（１５Ａ）を嵌着する。
【００３５】  両側板（１Ａと１Ｂ）にある上蓋用支点部（１４Ａと１４Ｂ）に、トイレットペーパーを下方に押下げるトイレットペーパー押さえ部（１９Ａと１９Ｂ）と、トイレットペーパー姿勢制御棒（２２）と、上下線状ギヤ（１６Ａと１６Ｂ）を下方に押え込むための上下線状ギヤ押込み棒（１８Ａと１８Ｂ）とを有する上蓋Ｂ（１５Ｂ）を嵌着する。
【００３６】  両側ガイド板（４Ａと４Ｂ）の下方に、掛け金（１０Ａと１０Ｂ）用の固定ストッパー（２０Ａと２０Ｂ）を装着する。
本発明の内、請求項１及び請求項２は、以上の構成よりなるトイレットペーパーホルダーである。
【００４０】  本発明を使用する時は、図６に示す如く、上蓋Ａ（１５Ａ）及び上蓋Ｂ（１５Ｂ）を使用者の手によって開け、トイレットペーパーをトイレットペーパー用軸芯（２１）に装着し、トイレットペーパーを十分に引出したのち、図７に示す如く、上蓋Ａ（１５Ａ）及び上蓋Ｂ（１５Ｂ）を手によって閉じる。このとき、上蓋Ａ（１５Ａ）と上蓋Ｂ（１５Ｂ）は連動しているので、上蓋Ａ（１５Ａ）と上蓋Ｂ（１５Ｂ）を別々に開ける必要はない。
【００４１】  上蓋Ａ（１５Ａ）の先端から余りとしてはみ出しているトイレットペーパーを、上蓋Ｂ（１５Ｂ）の、トイレットペーパー切断時に上蓋を押える部位（３１）を手で押えてトイレットペーパーを切断し、トイレットペーパーホルダーから手を離す。
以上でトイレットペーパーの最初の取り付けは完了である。
【００４２】  図１２は、使用者が上蓋Ｂ（１５Ｂ）の、トイレットペーパー切断時に上蓋を押える部位（３１）を手で押えてトイレットペーパーを切断した直後の各構成部の状態を示している。このときの状態は図９の如く、上下線状ギヤ（１６Ａと１６Ｂ）が下方に下がっている状態となり、前記上下線状ギヤ（１６Ａと１６Ｂ）と噛み合う２連歯車（１２Ａと１２Ｂ）の回転作用によって、前後線状ギヤ（１３Ａと１３Ｂ）を形設するコの字形状板（９）は後方向に押戻されている状態となっている。
【００４３】  使用者がトイレットペーパーを切断後、トイレットペーパーホルダーから手を離すと、図１及び図２に示す圧縮ばね（１７Ａと１７Ｂ）が元の長さに戻ろうとする反発力によって上蓋Ｂ（１５Ｂ）が上方に押上げられ、上下線状ギヤ（１６Ａと１６Ｂ）も同時に上方に上がり、前記上下線状ギヤ（１６Ａと１６Ｂ）と噛み合う２連歯車（１２Ａと１２Ｂ）の回転作用によって、前後線状ギヤ（１３Ａと１３Ｂ）を形設するコの字形状板（９）は前方向にスライドする。
【００４４】  前記前後線状ギヤ（１３Ａと１３Ｂ）を形設するコの字形状板（９）のスライドの第一段階は図１３に示す如く、コの字形状板（９）の先端部（２３Ａと２３Ｂ）が旋回アーム（８Ａと８Ｂ）を旋回せしめる作用点（２４Ａと２４Ｂ）に当たる。
【００４５】  図１３は前述の通り、コの字形状板（９）の先端部（２３Ａと２３Ｂ）が旋回アーム（８Ａと８Ｂ）を旋回せしめる作用点（２３Ａと２３Ｂ）に当たる瞬間の図であるが、この状態は図９の上下線状ギヤ（１６Ａと１６Ｂ）が少し上方に上がったことによりなされる。同時に上蓋Ｂ（１５Ｂ）と一体となるトイレットペーパー押え部（１９Ａと１９Ｂ）は図１３の状態直後より旋回を開始する旋回アーム（８Ａと８Ｂ）と干渉のない高さまで上昇した状態となる。
【００４６】  図１４は上蓋Ｂ（１５Ｂ）が図１３よりさらに上昇し、コの字形状板（９）が図１３よりさらに前方向にスライドした状態であるが、この状態においてコの字形状板（９）の先端部（２３Ａと２３Ｂ）がそれぞれ旋回アーム（８Ａと８Ｂ）を旋回せしめる作用点（２４Ａと２４Ｂ）を押し、旋回アーム（８Ａと８Ｂ）に回転作用を与え、トイレットペーパーの切り端角部を三角形状に折りたたみ、その後、三角形状板（２）を前方向に押出す掛け金（１０Ａと１０Ｂ）が三角形状板（２）の後ろ側に当たる。
【００４７】  図１５は上蓋Ｂ（１５Ｂ）が最も上昇し、コの字形状板（９）が最も前方向にスライドした状態であるが、前述の旋回アーム（８Ａと８Ｂ）の回転作用により三角形状に折りたたまれたトイレットペーパーは、そのままの状態を保ち、三角形状板（２）が前方向に押出されることにより前記三角形状に折りたたまれたトイレットペーパーも前方向に押出された状態を示す。このとき、コの字形状板（９）に装着された掛け金（１０Ａと１０Ｂ）のストッパー部分（１０Ｃ）が図１１に示す如く、固定ストッパー（２０Ａと２０Ｂ）と当たり、掛け金（１０Ａと１０Ｂ）の三角形状板押出し部（１０Ｄ）は下方向に下がる。
【００４８】  図１６は前述の図１１の通り、掛け金（１０Ａと１０Ｂ）の三角形状板押出し部（１０Ｄ）が下方に下がり、三角形状板（２）の後方に連結された引っ張りばね（７Ａと７Ｂ）が元の長さに戻ろうとする作用により、三角形状板（２）が後ろ側に引戻された状態である。
【００４９】  図５はトイレットペーパーホルダーの外観図であるが、同時に内部の各構成部は図１６の状態となっている。
【００５０】  使用者がトイレットペーパーを引出し、切断のため上蓋Ｂ（１５Ｂ）の、トイレットペーパー切断時に上蓋を押える部位（３１）を押えることにより、図９に示す如く、上下線状ギヤ（１６Ａと１６Ｂ）と噛み合う２連歯車（１２Ａと１２Ｂ）の回転作用により、前記２連歯車（１２Ａと１２Ｂ）と噛み合う前後線状ギヤ（１３Ａと１３Ｂ）が後方に押戻され、旋回アーム（８Ａと８Ｂ）とコの字形状板（９）が離れ、旋回アーム（８Ａと８Ｂ）に連結された引っ張りばね（１１）が元の長さに戻ろうとする作用により、旋回アーム（８Ａと８Ｂ）は元の状態に戻る。同時に、トイレットペーパー押え部（１９Ａと１９Ｂ）がトイレットペーパーを、旋回アーム（８Ａと８Ｂ）の下面よりも低い高さまで押下げる。この状態が図１２である。
【００５１】  次に、本発明の内、請求項３を図面について説明する。
図１７に示す如く、コの字形状板（９）に駆動作用を与える駆動装置として、コの字形状板（９）に形設された前後線状ギヤ（１３Ａと１３Ｂ）に前後駆動作用を与える駆動ギヤ（２８Ａと２８Ｂ）と、前記駆動ギヤ（２８Ｂと２８Ｂ）を回転させるための駆動用モーター（２７Ａと２７Ｂ）を設け、かつ、駆動用モーター（２７Ａと２７Ｂ）の出力軸に駆動ギヤ（２８Ａと２８Ｂ）を装着し、前記駆動ギヤ（２８Ａと２８Ｂ）が、コの字形状板（９）に形設された前後線状ギヤ（１３Ａと１３Ｂ）に噛み合うように設置する。
【００５２】  駆動用モーター（２７Ａと２７Ｂ）の正回転開始、停止、及び逆回転開始のスイッチは、上蓋Ｂ（１５Ｂ）の上下作用に連動してなされる。
【００５３】  図１７の状態から  上蓋Ｂ（１５Ｂ）を押えることにより、駆動用モーター（２７Ａと２７Ｂ）の正回転開始のスイッチが入り、駆動用モーター（２７Ａと２７Ｂ）の出力軸に装着された駆動ギヤ（２８Ａと２８Ｂ）と、前記駆動ギヤ（２８Ａと２８Ｂ）に噛み合う前後線状ギヤ（１３Ａと１３Ｂ）の作用によって、コの字形状板（９）が後方にスライドする。そして後方端でスイッチが切れ駆動用モーター（２７Ａと２７Ｂ）の回転は停止する。
【００５４】  使用者が上蓋Ｂ（１５Ｂ）から手を離し、上蓋Ｂ（１５Ｂ）が上昇すると、駆動用モーター（２７Ａと２７Ｂ）の逆回転開始のスイッチが入り、駆動用モーター（２７Ａと２７Ｂ）の出力軸に装着された駆動ギヤ（２８Ａと２８Ｂ）と、前記駆動ギヤ（２８Ａと２８Ｂ）に噛み合う前後線状ギヤ（１３Ａと１３Ｂ）の作用によって、コの字形状板（９）が前方にスライドする。そして前方端でスイッチが切れ駆動用モーター（２７Ａと２７Ｂ）の回転は停止する。
【００５５】  使用者がトイレットペーパーを引出し、切断のため上蓋Ｂ（１５Ｂ）を押えることにより、駆動用モーター（２７Ａと２７Ｂ）の正回転開始のスイッチが入り、駆動用モーター（２７Ａと２７Ｂ）の出力軸に装着された駆動ギヤ（２８Ａと２８Ｂ）と、前記駆動ギヤ（２８Ａと２８Ｂ）に噛み合う前後線状ギヤ（１３Ａと１３Ｂ）の作用によって、コの字形状板が後方に押戻され、旋回アーム（８Ａと８Ｂ）とコの字形状板（９）が離れ、旋回アーム（８Ａと８Ｂ）に連結された引っ張りばね（１１）が元の長さに戻ろうとする作用により、旋回アーム（８Ａと８Ｂ）は元の状態に戻る。同時に、トイレットペーパー押え部（１９Ａと１９Ｂ）がトイレットペーパーを、旋回アーム（８Ａと８Ｂ）の下面よりも低い高さまで押し下げる。この状態が図１７である。
【００５６】  次に、本発明の内、請求項４を図面について説明する。
図１８の如く、コの字形状板（９）に駆動作用を与える駆動装置として、コの字形状板（９）に前後送りねじ（３０Ａと３０Ｂ）を形設し、かつ、前記送りねじ（３０Ａと３０Ｂ）を回転させるための送りねじ用モーター（２９Ａと２９Ｂ）を設け、前記送りねじ（３０Ａと３０Ｂ）と送りねじ用モーター（２９Ａと２９Ｂ）の出力軸を連結する。
【００５７】  送りねじ用モーター（２９Ａと２９Ｂ）の正回転開始、停止、及び逆回転開始のスイッチは、上蓋の上下作用に連動してなされる。
【００５８】  図１８の状態から  上蓋Ｂ（１５Ｂ）を押えることにより、送りねじ用モーター（２９Ａと２９Ｂ）の正回転開始のスイッチが入り、送りねじ用モーター（２９Ａと２９Ｂ）の出力軸に連結された送りねじ（３０８Ａと３０Ｂ）の作用によって、コの字形状板（９）が後方にスライドする。そして後方端でスイッチが切れ送りねじ用モーター（２９Ａと２９Ｂ）の回転は停止する。
【００５９】  使用者が上蓋Ｂ（１５Ｂ）から手を離し、上蓋Ｂ（１５Ｂ）が上昇すると、送りねじ用モーター（２９Ａと２９Ｂ）の逆回転開始のスイッチが入り、送りねじ用モーター（２９Ａと２９Ｂ）の出力軸に連結された送りねじ（３０Ａと３０Ｂ）の作用によって、コの字形状板（９）が前方にスライドする。そして前方端でスイッチが切れ送りねじ用モーター（２９Ａと２９Ｂ）の回転は停止する。
【００６０】  使用者がトイレットペーパーを引き出し、切断のため上蓋Ｂ（１５Ｂ）を押えることにより、送りねじ用モーター（２９Ａと２９Ｂ）の正回転開始のスイッチが入り、送りねじ用モーター（２９Ａと２９Ｂ）の出力軸に連結された送りねじ（３０Ａと３０Ｂ）の作用によって、コの字形状板が後方に押戻され、旋回アーム（８Ａと８Ｂ）とコの字形状板（９）が離れ、旋回アーム（８Ａと８Ｂ）に連結された引っ張りばね（１１）が元の長さに戻ろうとする作用により、旋回アーム（８Ａと８Ｂ）は元の状態に戻る。同時に、トイレットペーパー押さえ部（１９Ａと１９Ｂ）がトイレットペーパーを旋回アーム（８Ａと８Ｂ）の下面よりも低い高さまで押下げる。この状態が図１８である。
【００６１】  以上の説明の通り、本発明のトイレットペーパーホルダーは、トイレットペーパーの取付けが容易で、使用者がトイレットペーパーを切断後、トイレットペーパーホルダーから手を離すと、手を使うことなく、かつボタンを押すといった追加動作やレバーを引くといった追加動作をすることなく、全自動式にトイレットペーパーの先端部を三角形状に折りたたみ、上蓋先端部より三角形状に折りたたまれたトイレットペーパーを数センチ出すので、その作用は確実かつ衛生的であり、次の使用者は容易にトイレットペーパーを取り出すことが出来る。
【符号の説明】
【００６２】  以下、各符号の説明であるが、構成上、左右対称にあるものはＡを左、Ｂを右とする。
１Ａ    トイレットペーパーホルダー左側板
１Ｂ    トイレットペーパーホルダー右側板
２      三角形状板
３Ａ    左ガイド板内の三角形状板スライド軌道部
３Ｂ    右ガイド板内の三角形状板スライド軌道部
４Ａ    左ガイド板
４Ｂ    右ガイド板
５      後方板
６      連結棒
７Ａ    三角形状板左引っ張りばね
７Ｂ    三角形状板右引っ張りばね
８Ａ    左旋回アーム
８Ｂ    右旋回アーム
９      コの字形状板
１０Ａ    左掛け金
１０Ｂ    右掛け金
１０Ｃ    掛け金のストッパー部
１０Ｄ    掛け金の三角形状板押出し部
１１      旋回アーム引っ張りばね
１２Ａ    左２連歯車
１２Ｂ    右２連歯車
１３Ａ    左前後線状ギヤ
１３Ｂ    右前後線状ギヤ
１４Ａ    上蓋用左支点部
１４Ｂ    上蓋用右支点部
１５Ａ    上蓋Ａ
１５Ｂ    上蓋Ｂ
１６Ａ    左上下線状ギヤ
１６Ｂ    右上下線状ギヤ
１７Ａ    左圧縮ばね
１７Ｂ    右圧縮ばね
１８Ａ    左上下線状ギヤ押込み棒
１８Ｂ    右上下線状ギヤ押込み棒
１９Ａ    トイレットペーパー左押え部
１９Ｂ    トイレットペーパー右押え部
２０Ａ    左固定ストッパー
２０Ｂ    右固定ストッパー
２１      トイレットペーパー軸芯
２２      トイレットペーパー姿勢制御棒
２３Ａ    コの字形状板左先端部
２３Ｂ    コの字形状板右先端部
２４Ａ    左旋回アーム作用点
２４Ｂ    右旋回アーム作用点
２５      使用トイレットペーパー
２６      トイレットペーパー予備
２７Ａ    左駆動ギヤ用モーター
２７Ｂ    右駆動ギヤ用モーター
２８Ａ    左駆動ギヤ
２８Ｂ    右駆動ギヤ
２９Ａ    左送りねじ用モーター
２９Ｂ    右送りねじ用モーター
３０Ａ    左送りねじ
３０Ｂ    右送りねじ
３１      トイレットペーパー切断時に上蓋を押える部位
【図１】
2013240563.tif 000003
【図２】
2013240563.tif 000004
【図３】
2013240563.tif 000005
【図４】
2013240563.tif 000006
【図５】
2013240563.tif 000007
【図６】
2013240563.tif 000008
【図７】
2013240563.tif 000009
【図８】
2013240563.tif 000010
【図９】
2013240563.tif 000011
【図１０】
2013240563.tif 000012
【図１１】
2013240563.tif 000013
【図１２】
2013240563.tif 000014
【図１３】
2013240563.tif 000015
【図１４】
2013240563.tif 000016
【図１５】
2013240563.tif 000017
【図１６】
2013240563.tif 000018
【図１７】
2013240563.tif 000019
【図１８】
2013240563.tif 000020
【図１９】
2013240563.tif 000021
【図２０】
2013240563.tif 000022